(57)【要約】      （修正有）【課題】金属製架台上に合成樹脂製ベース部材を設け、ベース部材に合成樹脂製送出ロータ、コイン状部材を貯蔵するホッパ、コイン状部材の検出部を取り付けた場合、送出ロータの高速回転によって多数の金属製のコイン状部材が擦れて静電気が生じ、この静電気によって正確な検出動作が得られない場合がある。本発明はこの静電気を逃がすことによって、静電気による悪影響を除くための有効な技術を提供するものである。【解決手段】合成樹脂製ベース部材４上にコイン状部材の収容部、複数の分離孔を形成してベース部材上に配置した合成樹脂製送出ロータ７の回転によって、コイン状部材を１枚ずつ送出し、送出されるコイン状部材の通過を検出する検出部２３を備えたコイン状部材送出装置において、ベース部材の上面には、送出ロータの分離孔に侵入したコイン状部材が接触する位置に静電気を逃がす導電部材３０を配置したこと。【選択図】図１
2007206862.tif 000002
【特許請求の範囲】
【請求項１】
合成樹脂製ベース部材上にコイン状部材の収容部を設け、複数の分離孔を形成して前記ベース部材上に配置した合成樹脂製送出ロータの回転によって、前記収容部のコイン状部材を１枚ずつ送出すると共に、送出されるコイン状部材の通過を検出する検出部を備えたコイン状部材送出装置において、前記ベース部材の上面には、前記送出ロータの分離孔に侵入したコイン状部材が接触する位置に静電気を逃がす導電部材を配置したことを特徴とするコイン状部材送出装置。
【請求項２】
合成樹脂製ベース部材上にコイン状部材の収容部を設け、複数の分離孔を形成して前記ベース部材上に配置した合成樹脂製送出ロータの回転によって、前記収容部のコイン状部材を１枚ずつ送出部へ送出すると共に、前記送出部には送出されるコイン状部材の通過を検出する検出部を備えたコイン状部材送出装置において、前記ベース部材の上面には、前記送出ロータの分離孔に侵入したコイン状部材が接触する位置に静電気を逃がす導電部材を配置し、この導電部材の一部が前記送出部に配置されたことを特徴とするコイン状部材送出装置。
【請求項３】
合成樹脂製ベース部材上にコイン状部材の収容部を設け、複数の分離孔を形成して前記ベース部材上に配置した合成樹脂製送出ロータの回転によって、前記収容部のコイン状部材を１枚ずつ送出部へ送出すると共に、前記送出部には送出されるコイン状部材の通過を検出する検出部を備えたコイン状部材送出装置において、前記ベース部材の上面には、前記送出ロータの分離孔に侵入したコイン状部材が接触する位置に静電気を逃がす導電部材を配置し、前記送出部の入口部には、前記送出ロータの回転方向手前側にコイン状部材が当接する導電性側壁を設けると共に、この導電性側壁に対して前記送出ロータの回転方向前方側にコイン状部材によって作動するバネ付勢の可動体を設け、前記導電部材の一端部が前記導電性側壁に接続されたことを特徴とするコイン状部材送出装置。
【請求項４】
前記導電部材は、前記分離孔の複数に跨る長さに形成したことを特徴とする請求項１乃至３のいずれかに記載のコイン状部材送出装置。
【請求項５】
前記導電部材の上面は、前記ベース部材の上面と略同一面をなす配置であることを特徴とする請求項１乃至４のいずれかに記載のコイン状部材送出装置。
【請求項６】
前記合成樹脂製のベース部材は金属製の架台の上に取り付けられ、前記導電部材を前記金属製の架台に電気的に接続したことを特徴とする請求項１乃至５のいずれかに記載のコイン状部材送出装置。
【請求項７】
前記導電部材は、前記ベース部材を貫通して前記金属製の架台にネジ止めされる導電性ネジによって前記ベース部材に締め付けられたことを特徴とする請求項６に記載のコイン状部材送出装置。
【請求項８】
前記合成樹脂製のベース部材は金属製の架台の上に取り付けられ、前記導電部材と前記導電性側壁は、ステンレススチールで構成されて前記ベース部材を貫通して前記金属製の架台にネジ止めされる導電性ネジによって前記ベース部材に締め付けられたことを特徴とする請求項３に記載のコイン状部材送出装置。
【発明の詳細な説明】
【技術分野】
【０００１】
本発明は、ベース部材上にコイン状部材の収容部を設け、ベース部材上に配置した送出ロータの回転によって収容部のコイン状部材を１枚ずつ送出する送出装置に関し、特に、送出ロータの回転によって生じる静電気によって、電気的検出部が誤動作するのを防止する技術に関する。
【背景技術】
【０００２】
貯蔵容器に貯留した硬貨、遊技用メダル等のコイン状部材を貯蔵容器の底部に設けたロータの回転によって１枚ずつ送出する送出装置がある。その代表的な構成として、硬貨、遊技用メダル等のコイン状部材を貯蔵する貯蔵容器（ホッパ）の底部には、電動機装置によって一方向へ回転する円盤状の送出ロータが設けられ、この送出ロータには複数の分離孔が略等間隔に同心円上に配置され、この送出ロータの回転に伴って、複数の分離孔にそれぞれコイン状部材が順次入りつつ、分離孔に入ったコイン状部材は、分離孔の底部から送出ロータの円周方向へ１枚ずつ押し出されて、貯蔵容器の側面部に形成した送出部からコイン状部材が１枚ずつ送出される。そして、この送出部には送出されるコイン状部材の通過枚数を計数する計数手段が設けられたものである。（例えば、特許文献１参照）。
【０００３】
この特許文献１のものでは、金属製の架台の上に合成樹脂製のベース部材が取り付けられ、このベース部材に送出ロータ、コイン状部材を貯蔵する貯蔵容器（ホッパ）、計数手段が取り付けられている。そして、計数手段として、一端が支軸によって架台に回動可能に枢着され、他端にカウントローラが回転可能に取り付けられ、そのカウントローラが取り付けられた側がバネ部材によって送出ロータ側に付勢された回動腕を備え、このカウントローラを押し退けつつ通過するコイン状部材によって、回動腕が回動することによって送出されるコイン状部材の通過枚数を計数する構成である。なお、計数手段としては、コイン状部材の送出通路をコイン状部材が通過することによって生じる電気、磁気、光などの変化を計測するものでもよいと記載されているが、具体的な構成は開示されていない。
【特許文献１】特開２００４−３１８５９５号公報
【発明の開示】
【発明が解決しようとする課題】
【０００４】
このようなコイン状部材送出装置において、計数手段として、上記のように回動腕が回動することによってスイッチを作動させる方式や、送出通路を通過するコイン状部材によって電気、磁気、光などの通路が遮られることによって生じる電気、磁気、光などの変化を計測する方式を採用する場合において、貯蔵容器（ホッパ）、ベース部材、送出ロータなどを合成樹脂製で構成した場合には、送出ロータの高速回転によって多数の金属製のコイン状部材が擦れ合って静電気が生じ、この静電気が計数手段に影響して正確な計数ができない場合が生じる。
【０００５】
本発明は、このような点に鑑みて、貯蔵容器（ホッパ）内の静電気を逃がすことによって、静電気による悪影響を除くための有効な技術を提供するものである。この場合、このような静電気は、貯蔵容器（ホッパ）から送出される最終領域にあるコイン状部材から取り除かれるのが好ましく、そのために、貯蔵容器（ホッパ）の底部において、送出ロータから送出されようとするコイン状部材を有効利用して静電気を逃がす技術を提供するものである。
【課題を解決するための手段】
【０００６】
第１発明のコイン状部材送出装置は、合成樹脂製ベース部材上にコイン状部材の収容部を設け、複数の分離孔を形成して前記ベース部材上に配置した合成樹脂製送出ロータの回転によって、前記収容部のコイン状部材を１枚ずつ送出すると共に、送出されるコイン状部材の通過を検出する検出部を備えたコイン状部材送出装置において、前記ベース部材の上面には、前記送出ロータの分離孔に侵入したコイン状部材が接触する位置に静電気を逃がす導電部材を配置したことを特徴とする。
【０００７】
第２発明のコイン状部材送出装置は、合成樹脂製ベース部材上にコイン状部材の収容部を設け、複数の分離孔を形成して前記ベース部材上に配置した合成樹脂製送出ロータの回転によって、前記収容部のコイン状部材を１枚ずつ送出部へ送出すると共に、前記送出部には送出されるコイン状部材の通過を検出する検出部を備えたコイン状部材送出装置において、前記ベース部材の上面には、前記送出ロータの分離孔に侵入したコイン状部材が接触する位置に静電気を逃がす導電部材を配置し、この導電部材の一部が前記送出部に配置されたことを特徴とする。
【０００８】
第３発明のコイン状部材送出装置は、合成樹脂製ベース部材上にコイン状部材の収容部を設け、複数の分離孔を形成して前記ベース部材上に配置した合成樹脂製送出ロータの回転によって、前記収容部のコイン状部材を１枚ずつ送出部へ送出すると共に、前記送出部には送出されるコイン状部材の通過を検出する検出部を備えたコイン状部材送出装置において、前記ベース部材の上面には、前記送出ロータの分離孔に侵入したコイン状部材が接触する位置に静電気を逃がす導電部材を配置し、前記送出部の入口部には、前記送出ロータの回転方向手前側にコイン状部材が当接する導電性側壁を設けると共に、この導電性側壁に対して前記送出ロータの回転方向前方側にコイン状部材によって作動するバネ付勢の可動体を設け、前記導電部材の一端部が前記導電性側壁に接続されたことを特徴とする。
【０００９】
第４発明は、第１発明乃至第３発明のいずれかにおいて、前記導電部材は、前記分離孔の複数に跨る長さに形成したことを特徴とする。
【００１０】
第５発明は、第１発明乃至第４発明において、前記導電部材の上面は、前記ベース部材の上面と略同一面をなす配置であることを特徴とする。
【００１１】
第６発明は、第１発明乃至第５発明において、前記合成樹脂製のベース部材は金属製の架台の上に取り付けられ、前記導電部材を前記金属製の架台に電気的に接続したことを特徴とする。
【００１２】
第７発明は、第６発明において、前記導電部材は、前記ベース部材を貫通して前記金属製の架台にネジ止めされる導電性ネジによって前記ベース部材に締め付けられたことを特徴とする。
【００１３】
第８発明は、第３発明において、前記合成樹脂製のベース部材は金属製の架台の上に取り付けられ、前記導電部材と前記導電性側壁は、ステンレススチールで構成されて前記ベース部材を貫通して前記金属製の架台にネジ止めされる導電性ネジによって前記ベース部材に締め付けられたことを特徴とする。
【発明の効果】
【００１４】
第１発明では、ベース部材上で合成樹脂製送出ロータが回転することによって発生する静電気は、送出ロータの分離孔に侵入したコイン状部材が導電部材に接触することによって逃がすことができるため、送出ロータから送出されようとするコイン状部材を有効利用して静電気を逃がすことができる。このため、送出ロータから送出されるコイン状部材は、静電気が除去された状態となるため、検出部へ悪影響を及ぼす静電気の除去が良好となる。
【００１５】
第２発明では、送出部に配置された導電部材の一部によって、送出ロータから送出されたコイン状部材が再び静電気を帯びても、送出部において有効に除去できるため、第１発明の効果に加えて、更に良好な状態となる。
【００１６】
第３発明は、第１の発明の効果に加えて、送出部の入口部において、送出ロータから送出されるコイン状部材は、バネ付勢の可動体と導電性側壁とに当接しつつこの間を通過するため、帯電した静電気は導電性側壁を通って確実に逃げるようになる。このため、送出ロータから送出されたコイン状部材が、再び静電気を帯びた場合でも、この静電気による悪影響を取り除くことができ、検出部での安定した検出動作が得られるものとなる。
【００１７】
第４発明は、第１発明乃至第３発明の効果に加えて、送出ロータの回転中も停止中も、常に分離孔内のコイン状部材と接触している状態となり、送出ロータが回転のいずれの位置にあっても、分離孔内のコイン状部材とその上方に収容されたコイン状部材の静電気を逃がすことができる。
【００１８】
第５発明は、第１発明乃至第４発明の効果に加えて、導電部材に分離孔内のコイン状部材が引っ掛かって、送出ロータの回転の支障となることがないため、送出ロータの円滑な回転が得られる。特に、導電部材はベース部材の上面と同一面をなすことによって、分離孔内のコイン状部材と導電部材との良好な接触状態でもって、送出ロータの円滑な安定動作を得ることができる。
【００１９】
第６発明は、第１発明乃至第５発明の効果に加えて、ベース部材を金属製の架台の上に取り付けることによって、合成樹脂製のベース部材上に取り付けた導電部材の静電気は、ベース部材の支持体となる架台を有効利用して処理されることとなり、ベース部材の支持と静電気の除去の両方を架台が受け持つ極めて効果的なものである。
【００２０】
第７発明は、第６発明の効果に加えて、ベース部材への導電部材の取り付けと、ベース部材の金属製の架台への取り付けが、導電性ネジによって達成できると共に、導電性ネジを通して静電気の除去もでき、構成の簡素化ができる。
【００２１】
第８発明は、第３発明の効果に加えて、ベース部材への導電部材及び導電性側壁の取り付けと、ベース部材の金属製の架台への取り付けが、導電性ネジによって達成できると共に、導電性ネジを通して静電気の除去もでき、構成の簡素化ができる。
【発明を実施するための最良の形態】
【００２２】
本発明のコイン状部材送出装置は、合成樹脂製ベース部材上にコイン状部材の収容部を設け、複数の分離孔を形成して前記ベース部材上に配置した合成樹脂製送出ロータの回転によって、前記収容部のコイン状部材を１枚ずつ送出すると共に、送出されるコイン状部材の通過を検出する検出部を備えたコイン状部材送出装置において、前記ベース部材の上面には、前記送出ロータの分離孔に侵入したコイン状部材が接触する位置に静電気を逃がす導電部材を配置したものであり、本発明の実施例を以下に記載する。
【実施例１】
【００２３】
次に、本発明の実施の形態について説明する。図１は本発明に係るコイン状部材送出装置の分解斜視図、図２は本発明に係るコイン状部材送出装置を備えた遊技機の開扉正面図、図３は本発明に係るコイン状部材送出装置の斜視図、図４は本発明に係るコイン状部材送出装置の一部断面の側面図、図５は本発明に係るコイン状部材送出装置のロータガイドリングの係止前の状態を示す上面図、図６は本発明に係るコイン状部材送出装置のロータガイドリングの係止状態を示す上面図、図７は本発明に係るコイン状部材送出装置の送出ロータとロータガイドリングの関係を示す断面図、図８は本発明に係るコイン状部材送出装置の送出部のカバーを外した斜視図、図９は本発明に係るコイン状部材送出装置の送出部のカバーを外した上面図、図１０は本発明に係る送出ロータの分離孔部分の裏側斜視図、図１１は本発明に係る送出ロータの分離孔部分の側面図、図１２は本発明に係るコイン状部材の検出部の斜視図、図１３は本発明に係る検出部の検出位置の説明図である。
【００２４】
本発明の実施形態を図に基づき説明する。１は硬貨、遊技用メダル等のコイン状部材１００を使用して遊技するための遊技機であり、図２に示すものは、コイン状部材（遊技用メダル）１００を使用するスロットマシンやパチスロ機である遊技機１の扉を開いた状態の正面図である。遊技機１内には、遊技機１で使用するコイン状部材（遊技用メダル）１００を収納し、必要に応じて所定数のコイン状部材（遊技用メダル）１００を遊技機１の前面に設けた受け皿部分１Ａへ送出する機能を有するコイン状部材送出装置２が設置されている。
【００２５】
コイン状部材送出装置２は以下の構成をなす。即ち、金属製の架台３の上には、合成樹脂製のベース部材４が複数箇所をネジ６によって取り付けられ、ベース部材４上には、円形状のコイン状部材１００を収納する収容部５を形成する合成樹脂製の貯蔵容器（ホッパ）５Ｐが、ベース部材４に対してネジ又は係止装置４４によって着脱自在に取り付けられている。貯蔵容器（ホッパ）５Ｐは、上面と下面にそれぞれ開口５Ａ、５Ｂを有し、下面開口５Ｂは略円形をなす。この下面開口５Ｂに対応してベース部材４上には、複数の分離孔１０を形成した合成樹脂製の送出ロータ７が配置され、送出ロータ７は、ベース部材４の下側に取り付けた電動機装置８からベース部材４を貫通した回転軸９の先端部に取り付けられている。
【００２６】
回転軸９の先端部に取り付けられた送出ロータ７は、図７に示すように、ベース部材４の上面に形成した円形状の窪み４Ａに配置され、窪み４Ａの表面から若干離れた状態で電動機装置８によってＲ方向へ回転する構成である。送出ロータ７の上面周縁部と周囲面と若干の間隔を存して送出ロータ７の上面周縁部と周囲面を覆うようにロータガイドリング２０が設けられている。ロータガイドリング２０は、窪み４Ａを取り囲むように窪み４Ａよりも高い位置に形成した円形状の段部４Ｂに載置され、ベース部材４に形成した係止爪部２１によってベース部材４の所定位置に保持される。ロータガイドリング２０は、送出ロータ７の上面周縁部を覆うリング部２０Ａから外方へ広がるように傾斜したリング部２０Ｂを形成しており、貯蔵容器（ホッパ）５Ｐの円形状の下面開口５Ｂが、リング部２０Ａ、２０Ｂに沿うように、貯蔵容器（ホッパ）５Ｐがベース部材４に取り付けられる。
【００２７】
送出ロータ７が回転軸９の先端部に取り付けられて窪み４Ａに配置された状態で、図５に示すように、ロータガイドリング２０の周縁部に形成した切り欠き２０Ｃを係止爪部２１に対応させるように、ロータガイドリング２０を段部４Ｂに載置し、この状態で図５において、ロータガイドリング２０を時計方向へ回動させることによって、図６に示すように、ロータガイドリング２０が係止爪部２１の下側に潜り込んで係止されると共に、ロータガイドリング２０の端部２０Ｄがベース部材４に形成したストッパ段部２２に当接して、ロータガイドリング２０が所定位置に保持される。
【００２８】
送出ロータ７は、同心円上に複数の分離孔１０（図示のものは６個の分離孔を有する）を略等間隔に配置した円盤状をなし、各分離孔１０は、コイン状部材１００の直径よりも若干大きい直径でもって送出ロータ７を上下に円形状に貫通し、上側周縁部には回転方向Ｒの下流側に向かって下向きの傾斜状に広がった案内面１１を形成している。また、各分離孔１０の下側周縁部には、送出ロータの周縁に臨む開放出口１０Ａを形成し、この開放出口１０Ａの回転方向Ｒの下流側には、送出ロータ７の周縁へ延びる流線型の押し出し壁１２を形成している。この構成によって、送出ロータ７の回転によって、貯蔵容器（ホッパ）５Ｐのコイン状部材１００は、１枚ずつ分離して分離孔１０に順次入り込み、分離孔１０の底部に入り込んだコイン状部材１００は、送出ロータ７の回転に伴ってベース部材４の上面を滑りつつ押し出し壁１２によって、ベース部材４の上面に形成した送出部１３へ向けて、開放出口１０Ａから送出ロータ７の外方へ押し出される仕組みである。
【００２９】
送出ロータ７の回転に伴って送出ロータ７の外方へ押し出されたコイン状部材１００は、コイン状部材通路を構成する送出部１３へ入る。送出部１３の入口部には、送出ロータ７から外方へ押し出されたコイン状部材１００が最初に通過する位置に、コイン状部材１００の直径よりも若干小さい間隔を存して、固定側壁１５と可動体１６が配置されている。送出ロータ７の回転に伴って分離孔１０の底部に入り込んだコイン状部材１００は、開放出口１０Ａから送出ロータ７の外方へ移動して、固定側壁１５の内側の傾斜面１５Ｂに当接し、押し出し壁１２によって押されて回転しつつ押し出される。送出ロータ７の外方へ押し出されたコイン状部材１００は、送出部１３へ入り、送出部１３をＹ１方向に通って、送出装置２の側面に形成した送出口１４から送出される。送出口１４から送出されるコイン状部材１００は、遊技機１の前面に設けた受け皿１Ａへ供給され、遊技客による次の遊技に使用可能となる。送出部１３の通路幅Ｔ１は、固定側壁１５の先端の直線部１５Ａとその対面側に固定側壁１５と並行に配置した固定側壁２６との間隔で形成される。この通路幅Ｔ１は、コイン状部材１００が円滑に移動できるように、コイン状部材１００の直径よりも若干大きい寸法に定めている。
【００３０】
固定側壁１５は、送出部１３の入口側の送出ロータ７の回転方向（Ｒ）手前側に送出ロータ７から送出されるコイン状部材１００が当接する位置に設けられており、耐磨耗性を考慮して金属製とし、実施例ではステンレススチールで構成している。可動体１６は、固定側壁１５に対して送出ロータ７の回転方向（Ｒ）前方側に位置し、コイン状部材１００によって押し圧作動されるようにバネ１７で付勢された状態に設けられている。可動体１６は、Ｌ字状の可動アーム１９に立設した軸１９Ａに回転可能に取り付けた円筒体１６Ａで構成され、可動アーム１９は、ベース部材４の下側に中央部を回転可能に軸支持１８されると共に、他端部が復帰作用バネ１７の引っ張り力によって引っ張られており、この状態で、可動体１６は固定側壁１５との間にコイン状部材１００の直径よりも若干小さい間隔を維持している。
【００３１】
このため、送出ロータ７の外方へ押し出されるコイン状部材１００は、この固定側壁１５と可動体１６に到達した際、図９に示すように、可動体１６をバネ１７の引っ張り力に抗して１６Ａの状態に押し退けつつ進み、コイン状部材１００の直径部が通過したとき、バネ１７の引っ張り力によって復帰する可動体１６によって、送出口１４方向へ弾き飛ばされる。この弾き飛ばされたコイン状部材１００は、固定側壁２６側から送出部１３に臨むように配置した検出部２３を通過して、送出口１４から送出される。検出部２３は、発光部２４Ａと受光部２５Ａ、及び発光部２４Ｂと受光部２５Ｂの二組で構成されており、コイン状部材１００が検出部２３を通過するとき、発光部２４Ａから受光部２５Ａへ到達する光通路、及び発光部２４Ｂから受光部２５Ｂへ到達する光通路が遮られることによって、コイン状部材１００の通過枚数を電装ボックス３８内に設けた制御部の計数部（図示せず）によって計数する仕組みである。
【００３２】
検出部２３における検出位置は、コイン状部材１００の直径を外れた部位での検出としている。即ち、送出ロータ７から送出されるコイン状部材１００が連なって送出される場合にも、１枚ずつの検出ができるようにするために、発光部２４Ａ、２４Ｂから受光部２５Ａ、２５Ｂへ至るそれぞれの光通路は、送出されるコイン状部材１００の直径部位ではなく、直径部位から外れた位置、即ち、コイン状部材１００の直径よりも短い部位での検出としている。即ち、図１３に示すように、円形状のコイン状部材１００の中心ＣＨを通る直径部位から固定側壁２６側に寄った位置ＡＨとＢＨで検出するように、それぞれ発光部２４Ａから受光部２５Ａへ至る光通路と、発光部２４Ｂから受光部２５Ｂへ至る光通路を定めている。また、検出部２３は、一つの発光部２４Ａと一つの受光部２５Ａのみでもよいが、発光部２４Ａと受光部２５Ａ、及び発光部２４Ｂと受光部２５Ｂの二組で構成したのは、上記のように検出精度を上げると共に、悪戯対策である。即ち、コイン状部材１００がＹ１方向に通った場合の検出パルスを計数信号として制御部で採用し、悪戯によってＹ１方向と反対方向にコイン状部材１００が押し込まれて通過した場合の検出パルスを不採用とすることによって、悪戯によって誤った計数がされないようにしている。
【００３３】
検出部２３は、発光部２４Ａと受光部２５Ａの組み合わせ位置、及び発光部２４Ｂと受光部２５Ｂの組み合わせ位置を正確にするために、図１２に示すように、発光部２４Ａ、２４Ｂと受光部２５Ａ、２５Ｂとを合成樹脂ホルダ２３Ａ内に収めた構成である。合成樹脂ホルダ２３Ａは略コ字形をなし、その上辺２３Ａ１に発光部２４Ａ、２４Ｂが送出部１３に上方から臨むように、上手側（上流側）と下手側（下流側）の配置で内蔵され、合成樹脂ホルダ２３Ａの下辺２３Ａ２には、受光部２５Ａ、２５Ｂが送出部１３に下方から臨むように、上手側（上流側）と下手側（下流側）の配置で内蔵されている。そして、合成樹脂ホルダ２３Ａの発光部２４Ａ、２４Ｂから受光部２５Ａ、２５Ｂに至るそれぞれの光通路部分は、透明資材で構成された透明部２３Ｂを形成している。合成樹脂ホルダ２３Ａはネジ４６によって、ベース部材４上に取り付けている。検出部２３をこのような受光量の変化によって検知する方式に替えて、コイン状部材１００が通過することによって生じる電気量（静電容量、誘起起電力、周波数など）の変化や又は磁気量の変化などを計測するものでもよい。
【００３４】
送出部１３と検出部２３の部分は、合成樹脂製のカバー３２によって覆われている。カバー３２は、ベース部材４の上面に形成した係止部３３に下側に潜り込んで係止され、他端側はネジ３４によってベース部材４にネジ止めされる。このカバー３２の下面３２Ａと送出部１３の上面１３Ａとの間隔Ｔ２が、コイン状部材１００の厚さよりも若干大きい寸法になっている。これによって、固定側壁１５と固定側壁２６の間隔Ｔ１（コイン状部材１００の直径方向の間隔）と、このカバー３２の下面３２Ａと送出部１３の上面１３Ａとの間隔Ｔ２（コイン状部材１００の厚さ方向の間隔）との間が、送出部１３のコイン状部材通路の大きさである。そして、この送出部１３のコイン状部材通路の出口が、コイン状部材１００の送出口１４となる。
【００３５】
送出ロータ７の回転によって、分離孔１０内のコイン状部材１００や貯蔵容器（ホッパ）５Ｐ内のコイン状部材１００が静電気を帯びる。この静電気は、検出部２３による正規の検出動作の邪魔となるため、この静電気を逃がすことが必要である。このため、ベース部材４の上面側には、送出ロータ７の分離孔１０に侵入したコイン状部材１００が接触する位置に静電気を逃がす導電部材３０を配置し取り付けている。導電部材３０は、送出ロータ７の回転によって分離孔１０内のコイン状部材１００と摩擦が生じるため、耐摩耗性に優れた材料で構成する必要があり、実施例ではステンレススチールで構成している。
【００３６】
導電部材３０は、送出ロータ７の回転中も停止中も、常に分離孔１０内のコイン状部材１００と接触しているのが好ましい。このため、複数の分離孔１０に跨る長さに形成されており、実施例では、送出ロータ７が回転のいずれの位置にあっても少なくとも２つの分離孔１０に跨る長さに形成されている。この構成によって、分離孔１０内のコイン状部材１００とその上方に収容されたコイン状部材１００の静電気を逃がすことができる。
【００３７】
送出ロータ７から送出されて送出部１３へ至ったコイン状部材１００が、再び静電気を帯びた場合、この静電気も逃がせば、検出部２３での安定した検出動作が達成できる。このため、送出部１３の入口部において、送出ロータ７から送出されたコイン状部材１００の静電気を逃がすようにしている。その構成として、送出部１３の入口部においてコイン状部材１００が当接する固定側壁１５が、静電気を逃がす導電性部材で構成されている。この送出部１３は多数のコイン状部材１００が通過するため、耐摩耗性に優れた材料で構成する必要があり、固定側壁１５は、実施例ではステンレススチールで構成している。
【００３８】
固定側壁１５と導電部材３０は、ベース部材４を貫通して金属製の架台３にネジ止めされるそれぞれの導電性ネジによって、ベース部材に固定してもよく、また、それぞれの導電性リード線で架台３と接続してもよいが、実施例では、導電部材３０は、ベース部材の係止部にかぎ状に係止する係止部３０Ａ、３０Ｂを一端部と中間部に形成し、他端部は固定側壁１５の下側に弾性を持った状態（ベース部材４から若干浮く状態）で重なっており、この重なった部分が、固定側壁１５と共にベース部材４を貫通して金属製の架台３にネジ止めされる導電性ネジ３１によって、金属製の架台３と電気的接続状態にベース部材４上に固定されている。このため、導電部材３０の一端部は送出部１３の導電性側壁１５に電気的に接続された構成となる。なお固定側壁１５を導電部材３０と別体とせず、一体形成した構成とすることもできる。
【００３９】
金属製の架台３は、導電性ネジ３７によって遊技機１の金属壁に固定される。このため帯電していたコイン状部材１００の静電気は、導電部材３０、固定側壁１５、導電性ネジ３１を通して金属製架台３に伝わり、架台３から遊技機１の金属壁へ逃げるため、検出部２３における正規の検出動作が達成される。なお、遊技機１の金属壁をアース線でもってアースすれば好ましい状態となる。
【００４０】
導電部材３０に分離孔１０内のコイン状部材１００が引っ掛かって、送出ロータ７の回転の支障となることがないようにすることが必要であり、そのために、このような取り付けによって、導電部材３０は、ベース部材４の上面と略同一面をなす配置となり、送出ロータ７の円滑な回転が得られる。なお、導電部材３０の上面はベース部材４の上面と同一面をなすのが最も好ましい。
【００４１】
コイン状部材送出装置２の電動機装置８の給電ラインや制御ライン、検出部２３の制御ラインなどの電気ラインは、遊技機１に設けた電装ボックス３８とコイン状部材送出装置２とを結ぶリード線３９でもって形成されている。なお、コイン状部材送出装置２は、メンテナンスなどの際に引き出し易いように、金属製架台３の前壁に引き出し用取っ手７０を備えている。
【００４２】
遊技機１のコイン状部材挿入口へ挿入されたコイン状部材１００は、選別計数装置４０を経てガイド樋４１から立った状態で転動しつつ、貯蔵容器（ホッパ）５Ｐの入口開口５Ｅから貯蔵容器（ホッパ）５Ｐ内へ収容される。貯蔵容器（ホッパ）５Ｐには、入口開口５Ｅからオーバーフロー出口５Ｘに向けて、オーバーフローガイド部材４２が低く傾斜設置されている。貯蔵容器（ホッパ）５Ｐがコイン状部材１００で満杯になったときは、ガイド樋４１から供給されるコイン状部材１００は、その満杯のコイン状部材１００上に供給され、その上を滑ってオーバーフローガイド部材４２上に載り、オーバーフローガイド部材４２上を滑ってオーバーフロー出口５Ｘから回収ボックス３６へ収納される。
【００４３】
ベース部材４は合成樹脂製であるが、成形用金型に合成樹脂をノズルやゲートから注入して所定の形を作るインジェクション成形の場合、ベース部材４の形状からして、合成樹脂の注入がベース部材４の上面相当部分の複数個所から行われる。この成形によって、このノズルやゲートからの注入跡４５がベース部材４の上面に残る。この注入跡４５が突出している場合は、カッターなどによって取り除く仕上げ作業が行われるが、その仕上げによっても仕上げた注入跡４５として残る場合が多い。この仕上げ跡や注入跡４５は製品の外観品質を損なうため、これを目立たなくすることが好ましい。このための簡単な手段として、本発明ではこのような注入跡４５を覆うように導電部材３０の形状を定め、ベース部材４の上面への導電部材３０の取り付けによって、このような注入跡４５を覆う構成としている。これによって、注入跡４５を覆う特別な部材が省略でき、概観上も好ましい状態となる。
【産業上の利用可能性】
【００４４】
本発明は、上記実施形態に限定されず、本発明の技術的範囲を逸脱しない限り種々の変更が考えられ、それに係る種種の実施形態を包含するものである。
【図面の簡単な説明】
【００４５】
【図１】本発明に係るコイン状部材送出装置の分解斜視図である。（実施例１）
【図２】本発明に係るコイン状部材送出装置を備えた遊技機の開扉正面図である。（実施例１）
【図３】本発明に係るコイン状部材送出装置の斜視図である。（実施例１）
【図４】本発明に係るコイン状部材送出装置の一部断面の側面図である。（実施例１）
【図５】本発明に係るコイン状部材送出装置のロータガイドリングの係止前の状態を示す上面図である。（実施例１）
【図６】本発明に係るコイン状部材送出装置のロータガイドリングの係止状態を示す上面図である。（実施例１）
【図７】本発明に係るコイン状部材送出装置の送出ロータとロータガイドリングの関係を示す断面図である。（実施例１）
【図８】本発明に係るコイン状部材送出装置の送出部のカバーを外した斜視図である。（実施例１）
【図９】本発明に係るコイン状部材送出装置の送出部のカバーを外した上面図である。（実施例１）
【図１０】本発明に係る送出ロータの分離孔部分の裏側斜視図である。（実施例１）
【図１１】本発明に係る送出ロータの分離孔部分の側面図である。（実施例１）
【図１２】本発明に係るコイン状部材の検出部の斜視図である。（実施例１）
【図１３】本発明に係る検出部の検出位置の説明図である。（実施例１）
【符号の説明】
【００４６】
１・・・・遊技機
２・・・・コイン状部材送出装置
３・・・・金属製の架台
４・・・・ベース部材
４Ａ・・・窪み
５・・・・コイン状部材の収容部
５Ｐ・・・貯蔵容器（ホッパ）
７・・・・送出ロータ
８・・・・電動機装置
９・・・・回転軸
１０・・・分離孔
１３・・・送出部
１４・・・送出口
１５・・・固定側壁（導電性側壁）
１６・・・可動体
１７・・・バネ
２０・・・ロータガイドリング
２０Ｃ・・切り欠き
２１・・・係止爪部
２３・・・検出部
２４Ａ、２４Ｂ・・・発光部
２５Ａ、２５Ｂ・・・受光部
２６・・・固定側壁
３０・・・導電部材
３１・・・導電性ネジ
３５・・・導電性ネジ
１００・・コイン状部材
【図１】
2007206862.tif 000003
【図２】
2007206862.tif 000004
【図３】
2007206862.tif 000005
【図４】
2007206862.tif 000006
【図５】
2007206862.tif 000007
【図６】
2007206862.tif 000008
【図７】
2007206862.tif 000009
【図８】
2007206862.tif 000010
【図９】
2007206862.tif 000011
【図１０】
2007206862.tif 000012
【図１１】
2007206862.tif 000013
【図１２】
2007206862.tif 000014
【図１３】
2007206862.tif 000015